(57)【要約】【課題】鉛筆等の筆記用具や傘などの日常生活品を安定して保持したり握ることのできるグリップサポーターを提供する。【解決手段】筆記用具１０や傘１２などの日常生活品のグリップ部分Ｇあるいは眼鏡１４の耳掛け部分Ｈに巻いて保持力や把握力を補うために使用するサポーターであって、ニット製の布地を長尺筒状に縫合し、筒状部２と前記縫合部分に形成されるロック部３とで構成し、前記筒状部２とロック部３のそれぞれ、または前記筒状部２とロック部３と縫い糸４のそれぞれを異なる色彩とする。【選択図】　　　図２
2004114573.tif 000002
【特許請求の範囲】
【請求項１】
筆記用具（１０）や傘（１２）などの日常生活品のグリップ部分（Ｇ）あるいは眼鏡（１４）の耳掛け部分（Ｈ）に巻いて保持力や把握力を補うために使用するサポーターであって、
ニット製の布地を長尺筒状に縫合し，筒状部（２）と前記縫合部分に形成されるロック部（３）とで構成してなるグリップサポーター。
【請求項２】
筆記用具（１０）や傘（１２）などの日常生活品のグリップ部分（Ｇ）あるいは眼鏡（１４）の耳掛け部分（Ｈ）に巻いて保持力や把握力を補うために使用するサポーターであって、
ニット製の布地を長尺筒状に縫合し，筒状部（２）と前記縫合部分に形成されるロック部（３）とで構成し、
前記筒状部とロック部のそれぞれ，または前記筒状部とロック部と縫い糸（４）のそれぞれを異なる色彩としてなるグリップサポーター。
【発明の詳細な説明】
【０００１】
【発明の属する技術分野】本発明は、主として、身障者や高齢者等の保持力や把握力が小さい人のために創案されたもので、鉛筆等の筆記用具や傘などのグリップ部分に巻き付けて使用するニット製のグリップサポーターに関するものである。
【０００２】
【従来の技術】身障者や高齢者等の手先や指先の力は、健常者と比較して劣る場合が多く、鉛筆等の筆記用具を保持する力や傘などのグリップ部分を握る把握力が弱い。そのため、日常の生活において不便が多い。
【０００３】
【発明が解決しようとする課題】身障者や高齢者等のこうした能力の低下による不便な日常生活を支援することができれば、身障者等の自立生活を促す上できわめて有効である。
【０００４】
本発明はこうした点に鑑み創案されたもので、鉛筆等の筆記用具や傘などの日常生活品を安定して保持したり握ることのできるグリップサポーターを提供することを課題とする。
【０００５】
【課題を解決するための手段】図１乃至図６を参照して説明する。第一の発明に係るグリップサポーター１は、筆記用具１０や傘１２などの日常生活品のグリップ部分Ｇあるいは眼鏡１４の耳掛け部分Ｈに巻いて保持力や把握力を補うために使用するサポーターであって、ニット製の布地を長尺筒状に縫合し、筒状部２と前記縫合部分に形成されるロック部３とで構成してなるものである。
【０００６】
第二の発明に係るグリップサポーター１は、筆記用具１０や傘１２などの日常生活品のグリップ部分Ｇあるいは眼鏡１４の耳掛け部分Ｈに巻いて保持力や把握力を補うために使用するサポーターであって、ニット製の布地を長尺筒状に縫合し、筒状部２と前記縫合部分に形成されるロック部３とで構成し、前記筒状部２とロック部３のそれぞれ、または前記筒状部２とロック部３と縫い糸４のそれぞれを異なる色彩としてなるものであ
る。
【０００７】
【発明の実施の形態】本発明に係るグリップサポーター１の実施形態を図１および図２に示す。これは、鉛筆等の筆記用具１０のグリップ部分Ｇに巻いて保持力を補うために使用するものであり、ニット製の布地を、ロックミシンによって長尺筒状に縫合し、これにより、筒状部２と前記縫合部分に形成されるロック部３とで構成している。
【０００８】
このグリップサポーター１を筆記用具１０に巻き付けて使用することにより、保持力が補われ、安定して保持することができる。すなわち、当該グリップサポーター１はニット製であるため、特にその筒状部２が伸縮性と手に対するフィット感に優れ、従って、筆記用具１０に強く巻き付けることによる復元力で当該筆記用具１０に強固に組付くと共に、手に吸い付くようにフィットする。
【０００９】
それと同時に、縫合部分であるロック部３が、筒状部２より剛性が高く、その幅も狭いため、手に食い込んで滑り止めとして機能する。その結果、筆記用具１０を安定した強い力で保持することができる。また、このニット製のグリップサポーター１は汗を吸収する能力にも優れるので、これによっても安定した保持力を得ることができる。
【００１０】
なお、本実施形態におけるグリップサポーター１は、筒状部２とロック部３と縫い糸４のそれぞれを異なる色彩で構成している。また、複数本の縫い糸４を使用し、各縫い糸の色もそれぞれ異なるものとしている。これにより、優れた装飾性を発揮し、おしゃれ感を現出させることができる。
【００１１】
【実施例】筆記用具１０に使用するグリップサポーター１の幅（径）は、５ｍｍ〜１０ｍ程度が適当である。幅が５ｍｍ〜１０ｍｍのグリップサポーター１は、筆記用具（鉛筆、ボールペン、筆、クレヨン等）１０の他に、印鑑、歯ブラシ、ナイフ１１（図３参照）等にも巻き付けて使用することができる。
【００１２】
本発明に係るグリップサポーター１の幅や長さは限定されるものではない。例えば、その幅（径）を１５ｍｍ〜２５ｍｍ程度としたものは、傘１２（図４参照）、ベビーカー、車椅子１３（図５参照）、自転車、杖、ゴルフクラブ等のグリップ部分Ｇに巻き付けて使用することができる。
【００１３】
また、幅が３ｍｍ〜５ｍｍ程度としたものは、眼鏡１４の耳掛け部分Ｈ（図６参照）や、ドリル針等の小径の物に巻き付けて使用することができる。
【００１４】
【発明の効果】請求項１に記載の発明に係るグリップサポーター１は、ニット製の布地を長尺筒状に縫合し、筒状部２と前記縫合部分に形成されるロック部３とで構成しているので、筒状部２の伸縮性とフィット感、およびロック部３の滑り止め効果によって、筆記用具１０や傘１２などの日常生活品のグリップ部分Ｇに巻き付けて使用することにより、特に身障者や高齢者の保持力や把握力を補うことができる。
【００１５】
請求項２に記載の発明に係るグリップサポーター１は、請求項１に記載の発明と同様に、筆記用具１０等に巻き付けることによって、身障者や高齢者の保持力や把握力を補うことができる。
【００１６】
また、筒状部２とロック部３のそれぞれ、または筒状部２とロック部３と縫い糸４のそれぞれを異なる色彩としているので、装飾性を高め、おしゃれ感を現出することができる。
【図面の簡単な説明】
【図１】本発明の実施形態に係るグリップサポーターを示す斜視図である。
【図２】本発明の実施形態に係るグリップサポーターを鉛筆に巻き付けた状態を示す正面図である。
【図３】本発明の実施形態に係るグリップサポーターをナイフのグリップ部分に巻き付けた状態を示す正面図である。
【図４】本発明の実施形態に係るグリップサポーターを傘のグリップ部分に巻き付けた状態を示す正面図である。
【図５】本発明の実施形態に係るグリップサポーターを車椅子のグリップ（ハンドル）部分に巻き付けた状態を示す正面図である。
【図６】本発明の実施形態に係るグリップサポーターを眼鏡の耳掛け部分に巻き付けた状態を示す側面図である。
【符号の説明】
１　　　グリップサポーター
２　　　筒状部
３　　　ロック部
４　　　縫い糸
１０　　筆記用具
１１　　ナイフ
１２　　傘
１３　　車椅子
１４　　眼鏡
Ｇ　　　グリップ部分
Ｈ　　　耳掛け部分
【図１】
2004114573.tif 000003
【図２】
2004114573.tif 000004
【図３】
2004114573.tif 000005
【図４】
2004114573.tif 000006
【図５】
2004114573.tif 000007
【図６】
2004114573.tif 000008